(57)【特許請求の範囲】
【請求項１】
処置具挿通チャンネルの基端が接続されるチャンネル接続管と吸引管が接続される吸引接続管とが分岐して設けられた分岐ユニットを構成する部品に、その分岐ユニットに接続されるべき処置具挿通チャンネルの径に対応して相違する識別マークが付された内視鏡の配管分岐部であって、上記操作部に取り付けられた外装カバーで囲まれた領域に上記識別マークが配置されていることを特徴とする内視鏡の配管分岐部。
【請求項２】
上記分岐ユニットを構成する部品のうち、接続される処置具挿通チャンネルの径によって相違する部品の各々に上記識別マークが付されている請求項１記載の内視鏡の配管分岐部。
【請求項３】
上記識別マークのうち少なくとも一つは、上記分岐ユニットがユニット状態に組み立てられた状態において目視できる位置にある請求項２記載の内視鏡の配管分岐部。
【請求項４】
上記識別マークのうち少なくとも一つは、上記分岐ユニットが取り付けられるべき部材に取り付けられた状態において目視できる位置にある請求項１、２又は３記載の内視鏡の配管分岐部。
【請求項５】
上記識別マークは、処置具挿通チャンネルの径に対応して形状、個数又は色が相違するものである請求項１ないし４のいずれかの項に記載の内視鏡の配管分岐部。
【請求項６】
上記識別マークは、処置具挿通チャンネルの径を表示する数字又は記号である請求項１ないし４のいずれかの項に記載の内視鏡の配管分岐部。
【請求項７】
上記外装カバーが上記操作部に対し着脱自在に設けられている請求項１ないし６のいずれかの項に記載の内視鏡の配管分岐部。
【請求項８】
上記分岐ユニットを構成する部材のうち上記チャンネル接続管に必ず上記識別マークが付されている請求項１ないし７のいずれかの項に記載の内視鏡の配管分岐部。
【請求項９】
上記識別マークが、上記チャンネル接続管の外周に周方向に直接形成された溝である請求項８記載の内視鏡の配管分岐部。
【発明の詳細な説明】
【０００１】
【発明の属する技術分野】
この発明は、処置具挿通チャンネルが吸引チャンネルとして兼用される内視鏡の配管分岐部に関する。
【０００２】
【従来の技術】
内視鏡の処置具挿通チャンネルと吸引チャンネルは、共に相当な太さが必要なため、別々に設けると挿入部が非常に太くなって患者に大きな苦痛を与えることになり、又兼用しても大きな不便は生じないことから、ほとんどの内視鏡において兼用されている。
【０００３】
そこで、一般には、処置具挿通チャンネルの基端が接続されるチャンネル接続管と吸引管が接続される吸引接続管とが分岐して設けられた分岐ユニットが、内視鏡操作部内に配置されている。
【０００４】
【発明が解決しようとする課題】
多種少量生産品である内視鏡は、多数の機種において同じ操作部を共用しているが、処置具挿通チャンネルは内視鏡のスペックに合わせて各種の径のものが用いられるので、分岐ユニットは、それに接続される処置具挿通チャンネルの径に適合するチャンネル接続管が設けられたものを選択して使用しなければならない。
【０００５】
しかし、僅かに径が相違するだけのチャンネル接続管は一見しただけではほとんど区別することができないため、組み立て時に部品を誤って選択してしまい、後日になって水漏れ事故等を起こす可能性があった。
【０００６】
そこで本発明は、処置具挿通チャンネルが吸引チャンネルとして兼用される内視鏡において、処置具挿通チャンネルの径に合わない不適切なチャンネル接続管を誤って選択する組み立てミスを防止することができる内視鏡の配管分岐部を提供することを目的とする。
【０００７】
【課題を解決するための手段】
上記の目的を達成するため、本発明の内視鏡の配管分岐部は、処置具挿通チャンネルの基端が接続されるチャンネル接続管と吸引管が接続される吸引接続管とが分岐して設けられた分岐ユニットを構成する部品に、その分岐ユニットに接続されるべき処置具挿通チャンネルの径に対応して相違する識別マークを付したことを特徴とする。
【０００８】
なお、上記分岐ユニットを構成する部品のうち、接続される処置具挿通チャンネルの径によって相違する部品の各々に上記識別マークが付されているとよく、上記識別マークのうち少なくとも一つは、上記分岐ユニットがユニット状態に組み立てられた状態において目視できる位置にあるとよい。
【０００９】
また、上記識別マークのうち少なくとも一つは、上記分岐ユニットが取り付けられるべき部材に取り付けられた状態において目視できる位置にあるとよい。
なお、上記識別マークは、処置具挿通チャンネルの径に対応して形状、個数又は色が相違するものであってもよく、上記識別マークは、処置具挿通チャンネルの径を表示する数字又は記号であってもよい。
【００１０】
【発明の実施の形態】
図面を参照して本発明の実施の形態を説明する。
図２は内視鏡を示しており、先端部分に対物光学系等を内蔵した挿入部２の基端が操作部１に連結されている。
【００１１】
処置具を挿通させるための処置具挿通チャンネル３は、四フッ化エチレン樹脂製チューブ等で形成されて、挿入部２内に全長にわたって挿通配置されており、その先端は挿入部２の先端において開口している。
【００１２】
処置具挿通チャンネル３の基端側は、操作部１の下端部付近に突出して取り付けられた処置具挿入口金４に連通接続されている。４ａは、処置具が差し込まれる処置具挿入口である。
【００１３】
操作部１には、処置具挿通チャンネル３を通じて吸引動作を行うための吸引操作弁６等が設けられており、吸引操作弁６に接続された吸引チューブ５が、操作部１内の処置具挿入口金４の奥の位置で、処置具挿通チャンネル３の基端部に分岐接続されている。
【００１４】
図３は、処置具挿通チャンネル３の基端部と吸引チューブ５との分岐接続部を示している。１１は、処置具挿通チャンネル３の基端部と吸引チューブ５とを分岐接続するために、操作部１の下端部内に配置された金属製の分岐本体である。
【００１５】
分岐本体１１には、処置具挿入口４ａから差し込まれた処置具が通過する真っ直ぐな貫通孔１１ａと、その中間部分に側方からＴ字状に連通する分岐孔１１ｂとが形成されている。
【００１６】
そして、貫通孔１１ａの一端側の開口部には、処置具挿通チャンネル３の基端を接続固着するためのチャンネル接続管１３がチャンネル繋ぎパイプ１２を介して接続固着され、分岐孔１１ｂの開口端部には、吸引チューブ５を接続固着するためのチューブ繋ぎパイプ１４が接続固着されている。
【００１７】
そして、チャンネル接続管１３は処置具挿通チャンネル３の基端に差し込まれて、緊縛及び接着によって両者が固着され、チューブ繋ぎパイプ１４は吸引チューブ５に差し込まれて、緊縛及び接着によって両者が固着されている。
【００１８】
分岐本体１１は、操作部１の壁部に斜め上方に向けて貫通形成された孔１６を臨む位置に配置されている。なお、分岐本体１１は孔１６内に入り込まない形状寸法に形成されている。
【００１９】
孔１６には、円筒状の処置具通過口金２０が外側から嵌挿されており、その外側（孔１６の外端側）に処置具挿入口金４が押さえナット２１で操作部１に押圧固定されている。
【００２０】
処置具通過口金２０の軸線位置には処置具通過孔２４が真っ直ぐに貫通形成されており、処置具挿入口金４の処置具挿入口４ａから差し込まれた処置具は、処置具通過口金２０と分岐本体１１とに真っ直ぐに連通するように形成された孔２４，１１ａを通って、処置具挿通チャンネル３内に導かれる。
【００２１】
処置具通過口金２０は奥側の端部で分岐本体１１と螺合しており、孔１６内に外側から差し込んで分岐本体１１と螺合させることにより奥へ引き込まれ、口元側に突設されたフランジ部２０ａが孔１６に形成された段部に当接する状態になって操作部１に固定される。２２、２６及び２８はシール用のＯリングである。
【００２２】
このように構成された処置具挿通チャンネル３の基端部と吸引チューブ５との分岐接続部において、チャンネル接続管１３が接続されたチャンネル繋ぎパイプ１２とチューブ繋ぎパイプ１４とが予め分岐本体１１に接続固着されて分岐ユニット１０が形成されている。
【００２３】
分岐ユニット１０としては、図４に示されるように、例えば内径が１．８ｍｍの処置具挿通チャンネル３が接続されるのに適した分岐ユニット１０Ａと、内径が１．２ｍｍの処置具挿通チャンネル３が接続されるのに適した分岐ユニット１０Ｂとが、組み立て時に内視鏡の機種によって選択使用される。
【００２４】
二種類の分岐ユニット１０Ａ，１０Ｂでは、チャンネル接続管１３（１３Ａ，１３Ｂ）の径、チャンネル繋ぎパイプ１２（１２Ａ，１２Ｂ）の径、及び分岐本体１１（１１Ａ，１１Ｂ）の孔径が相違するが、図４に示されるように外観的には両ユニット１０Ａ，１０Ｂは非常に見分けにくい。
【００２５】
そこで、図１に示されるように、二種類の分岐ユニット１０Ａ，１０Ｂ間で相違する各部品（１３Ａ，１３Ｂ，１２Ａ，１２Ｂ，１１Ａ，１１Ｂ）に、外見的にはっきりと相違する識別マーク４０（４０Ａ，４０Ｂ）が付されている。
【００２６】
すなわち、この実施の形態においては、１．８ｍｍ用の分岐ユニット１０Ａを構成するための部品には外面に二本の平行溝４０Ａが形成され、１．２ｍｍ用の分岐ユニット１０Ｂを構成するための部品には外面に一本の溝４０Ｂが形成されている。
【００２７】
したがって、分岐ユニット１０を組み立てる際には、二種類の分岐ユニット１０Ａ，１０Ｂ間で相違する各部品（１３Ａ，１３Ｂ，１２Ａ，１２Ｂ，１１Ａ，１１Ｂ）を、溝４０Ａ，４０Ｂの本数で区別して、誤りなく選択使用することができる。
【００２８】
処置具挿通チャンネル３は、組立時に、操作部１と挿入部２とが連結されてから分岐ユニット１０のチャンネル接続管１３に対して接続される。そこでチャンネル接続管１３の部分は、図３に示されるように、操作部１に対して着脱容易なカバー１ａの内側に配置されている。
【００２９】
したがって、図５に示されるように、分岐ユニット１０が操作部１内に組み付けられた後でも、カバー１ａが取り付けられていなければ、チャンネル接続管１３に付された識別マーク４０は操作部１の外部から直接目視することができ、どのサイズの処置具挿通チャンネル３と接続されるべきものかを容易に確認することができる。
【００３０】
なお、本発明は上記実施の形態に限定されるものではなく、例えば識別マーク４０として処置具挿通チャンネル３の径に対応して形状又は色を相違させたマークを用いてもよく、図６に示されるように、識別マーク４０が、処置具挿通チャンネル３の径を表示する数字又は記号等であってもよい。
【００３１】
また分岐ユニット１０は、処置具挿通チャンネルの径によって３種類以上になっても、識別マーク４０で識別可能であれば何種類になってもさしつかえない。
【００３２】
【発明の効果】
本発明によれば、チャンネル接続管と吸引接続管とが分岐する分岐ユニットを構成する部品に、その分岐ユニットに接続されるべき処置具挿通チャンネルの径に対応して相違する識別マークを付したことにより、処置具挿通チャンネルの径に合わない不適切なチャンネル接続管を誤って選択する組み立てミスを確実に防止することができる。
【図面の簡単な説明】
【図１】本発明の実施の形態の分岐ユニットの側面図である。
【図２】本発明の実施の形態の内視鏡の側面図である。
【図３】本発明の実施の形態の分岐接続部の側面断面図である。
【図４】分岐ユニットの側面図である。
【図５】分岐ユニットが操作部内に組み付けられた状態の外観図である。
【図６】本発明の他の実施の形態の分岐ユニットの側面図である。
【符号の説明】
１  操作部
３  処置具挿通チャンネル
５  吸引チューブ
１０（１０Ａ，１０Ｂ）  分岐ユニット
１１（１１Ａ，１１Ｂ）  分岐本体
１２（１２Ａ，１２Ｂ）  チャンネル繋ぎパイプ
１３（１３Ａ，１０Ｂ）  チャンネル接続管
１４  チューブ繋ぎパイプ
４０（４０Ａ，４０Ｂ）  識別マーク
【図１】
0004201393.tif 000002
【図２】
0004201393.tif 000003
【図３】
0004201393.tif 000004
【図４】
0004201393.tif 000005
【図５】
0004201393.tif 000006
【図６】
0004201393.tif 000007